(57)【要約】【課題】第１加熱手段を働かせる場合には、第２加熱手段の影響を受けることなく、当該第１加熱手段にて加熱した湯水を、放熱部へ導いて適切に熱を供給できながら、第１加熱手段を停止させる場合には、比較的簡易な構成を維持しながらも、補助加熱手段で加熱した湯水の放熱ロスを適切に抑制できる貯湯式熱源装置を提供する。【解決手段】貯湯槽１４下部の配管７０に放熱戻り路Ｒ４と第１加熱手段１１への往き路Ｒ１とを、貯湯槽１４上部の配管７１に放熱往き路Ｒ３と第１加熱手段１１からの戻り路Ｒ２とを接続し、貯湯槽１４下部の配管７０及び貯湯槽１４上部の配管７１とは別に、第２加熱手段６０への往き路Ｒ１０と第２加熱手段６０からの戻り路Ｒ１１とを貯湯槽１４に直接接続すると共に、放熱往き路Ｒ３と放熱戻り路Ｒ４とを直接接続して、貯湯槽１４と第１加熱手段１１とをバイパスするバイパス路Ｒ５を備えている。【選択図】図３
2013238333.tif 000002
【特許請求の範囲】
【請求項１】
湯水を貯湯する貯湯槽と、
放熱用端末を通流して循環する熱媒と湯水との熱交換により、湯水を放熱させる放熱部と、
前記放熱部への湯水の往き路である放熱往き路と、前記放熱部からの湯水の戻り路である放熱戻り路と、
前記貯湯槽の湯水と前記放熱往き路への湯水とを加熱する第１加熱手段と、
前記貯湯槽の湯水のみを加熱する第２加熱手段と、
前記放熱往き路に配置され、少なくとも前記放熱往き路の湯水を加熱する補助加熱手段とを備えている貯湯式熱源装置であって、
前記貯湯槽下部の配管に前記放熱戻り路と前記第１加熱手段への往き路とを、前記貯湯槽上部の配管に前記放熱往き路と前記第１加熱手段からの戻り路とを接続し、
前記貯湯槽下部の配管及び前記貯湯槽上部の配管とは別に、前記第２加熱手段への往き路と前記第２加熱手段からの戻り路とを前記貯湯槽に直接接続すると共に、
前記放熱往き路と前記放熱戻り路とを直接接続して、前記貯湯槽と前記第１加熱手段とをバイパスするバイパス路を備えている貯湯式熱源装置。
【請求項２】
前記貯湯槽下部の湯水を、前記第１加熱手段への往き路を介して、前記第１加熱手段を通流させた後に、前記第１加熱手段の戻り路を介して、前記貯湯槽上部に戻す形態で、循環させる第１加熱循環回路と、
湯水を、少なくとも前記放熱往き路と前記放熱戻り路を介して、前記放熱部に通流させる形態で、循環させる放熱循環回路と、
前記バイパス路を通流する湯水流量を調整可能なバイパス流量調整手段と、
前記第１加熱循環回路と前記放熱循環回路における湯水循環状態を制御する湯水循環状態制御手段とを備え、
前記第１加熱循環回路と前記放熱循環回路との両方に湯水を循環させて前記第１加熱手段による湯水の加熱と前記放熱部による湯水の放熱とを同時に行う加熱放熱運転時において、
前記湯水循環状態制御手段が、前記放熱戻り路から前記貯湯槽下部の配管への放熱戻り湯水流量を、前記第１加熱循環回路の加熱循環流量以下に維持するように、前記バイパス流量調整手段によるバイパス流量を制御する請求項１に記載の貯湯式熱源装置。
【請求項３】
前記放熱循環回路の前記放熱往き路を通流する湯水の温度を測定する第１温度測定手段を備え、
前記第１加熱循環回路と前記放熱循環回路との両方に湯水を循環させて前記第１加熱手段による湯水の加熱と前記放熱部による湯水の放熱とを同時に行う加熱放熱運転時において、
前記湯水循環状態制御手段が、前記第１温度測定手段にて測定される湯水温度が、前記放熱部にて要求される第１設定温度となるように、前記バイパス流量調整手段によるバイパス流量を制御する請求項２に記載の貯湯式熱源装置。
【請求項４】
前記貯湯槽下部の湯水を、前記第１加熱手段への往き路を介して、前記第１加熱手段を通流させた後に、前記第１加熱手段の戻り路を介して、前記貯湯槽上部に戻す形態で、循環させる第１加熱循環回路と、
湯水を、少なくとも前記放熱往き路と前記放熱戻り路を介して、前記放熱部に通流させる形態で、循環させる放熱循環回路と、
前記バイパス路を通流する湯水流量を調整可能なバイパス流量調整手段と、
前記第１加熱循環回路と前記放熱循環回路における湯水循環状態を制御する湯水循環状態制御手段とを備え、
前記第１加熱循環回路と前記放熱循環回路との両方に湯水を循環させて前記第１加熱手段による湯水の加熱と前記放熱部による湯水の放熱とを同時に行う加熱放熱運転時において、
前記湯水循環状態制御手段が、前記第１温度測定手段にて測定される湯水温度が、前記放熱部にて要求される第１設定温度となるように、前記バイパス流量調整手段によるバイパス流量を制御する請求項１に記載の貯湯式熱源装置。
【請求項５】
前記第１加熱手段が、ヒートポンプを構成する凝縮器であり、
前記第２加熱手段が、燃料電池の排熱にて湯水を加熱する第１排熱回収熱交換器である請求項１〜４の何れか一項に記載の貯湯式熱源装置。
【請求項６】
前記第１加熱手段が、発電機を回転駆動するエンジンの排熱にて湯水を加熱する第２排熱熱交換器であり、
前記第２加熱手段が、ヒートポンプを構成する凝縮器である請求項１〜４の何れか一項に記載の貯湯式熱源装置。
【発明の詳細な説明】
【技術分野】
【０００１】
本発明は、湯水を貯湯する貯湯槽と、放熱用端末を通流して循環する熱媒と湯水との熱交換により、湯水を放熱させる放熱部と、前記放熱部への湯水の往き路である放熱往き路と、前記放熱部からの湯水の戻り路である放熱戻り路と、前記貯湯槽の湯水と前記放熱往き路への湯水とを加熱する第１加熱手段と、前記貯湯槽の湯水のみを加熱する第２加熱手段と、前記放熱往き路に配置され、少なくとも前記放熱往き路の湯水を加熱する補助加熱手段とを備えている貯湯式熱源装置に関する。
【背景技術】
【０００２】
上述のような貯湯式熱源装置としては、特許文献１の図３に示されるような回路構成を有するものが知られており、特許文献１の図３に示される回路構成においては、放熱部への放熱往き路と放熱部からの放熱戻り路とを接続するバイパス路Ｒ６に、第１加熱手段として、電動圧縮式ヒートポンプ（以下「ＥＨＰ」と略称）４の凝縮器５が設けられている（特許文献１を参照）。
そして、特許文献１の図３に示される湯水循環状態、即ち、第１加熱手段を停止している状態で、補助加熱手段（バーナ加熱式熱交換器）で加熱した湯水を暖房に用いるボイラ暖房モードにおいては、湯水を放熱部としての負荷熱交換器７ａ、７ｂへ通流させ、放熱部へ熱を供給した後の湯水を、第１加熱手段としてのＥＨＰ４の凝縮器５が設けられているバイパス路Ｒ６に通流させる状態となっている。
また、特許文献１の図１１に示される回路構成においては、第２加熱手段として、熱電併給装置２０を、第１加熱手段とは別に、貯湯槽２へ直接接続する回路構成が示されており、当該第２加熱手段にて、貯湯槽２に貯湯されている湯水を、直接加熱自在に構成されている。
さらに、特許文献１の図１７に示されている回路構成においては、放熱部への放熱往き路と放熱部からの放熱戻り路とを接続するバイパス路Ｒ６に、第１加熱手段として、ＥＨＰ４の凝縮器５が設けられると共に、放熱往き路には、当該放熱往き路を通流する湯水を加熱する補助加熱手段が設けられている。さらに、第１加熱手段をバイパスする形態で、放熱戻り路とバイパス路Ｒ６を接続する第２バイパス路Ｂ２、及び放熱戻り路と第２バイパス路Ｂ２との接続部位において、放熱戻り路を通流する湯水を第２バイパス路Ｂ２側へ供給可能にする三方弁Ｓ３が設けられている。
これにより、特許文献１の図１７に示す回路構成においては、放熱往き路を通流する湯水を補助加熱手段で加熱し、放熱部、放熱戻り路、三方弁Ｓ３、第２バイパス路Ｂ２、バイパス路Ｒ６の夫々を通流させる状態で、補助加熱手段のみの加熱による放熱運転を実行可能となっている。そして、当該放熱運転にあっては、湯水が、第１加熱手段を通流することはないので、放熱ロスが低減されている。
【先行技術文献】
【特許文献】
【０００３】
【特許文献１】２０１１−２４７５６８号公報
【発明の開示】
【発明が解決しようとする課題】
【０００４】
上記特許文献１に開示の技術では、特許文献１の図３に示す湯水循環状態において、第１加熱手段が停止している場合、湯水が、バイパス路Ｒ６に設けられている凝縮器５を通流する際、当該凝縮器５にて放熱するため、放熱ロスが発生するという問題があった。
また、特許文献１の図１１に示す回路構成においても、特許文献１の図３に示す湯水循環状態と同様の湯水循環状態とする場合、上述した理由と同様の理由により、放熱ロスが発生するという問題があった。
さらには、特許文献１の図１７に示す回路構成においては、放熱運転において、湯水が第１加熱手段を通流することを防止して放熱ロスが低減できるものの、三方弁Ｓ３等を備える必要があり、構成が複雑となるという問題があった。
【０００５】
本発明は、上述の課題に鑑みてなされたものであり、その目的は、第１加熱手段を働かせる場合には、第２加熱手段の影響を受けることなく、当該第１加熱手段にて加熱した湯水を、放熱部へ導いて適切に熱を供給できながら、第１加熱手段を停止させる場合には、比較的簡易な構成を維持しながらも、補助加熱手段で加熱した湯水の放熱ロスを適切に抑制できる貯湯式熱源装置を提供する点にある。
【課題を解決するための手段】
【０００６】
上記目的を達成するための本発明の貯湯式熱源装置は、
湯水を貯湯する貯湯槽と、
放熱用端末を通流して循環する熱媒と湯水との熱交換により、湯水を放熱させる放熱部と、
前記放熱部への湯水の往き路である放熱往き路と、前記放熱部からの湯水の戻り路である放熱戻り路と、
前記貯湯槽の湯水と前記放熱往き路への湯水とを加熱する第１加熱手段と、
前記貯湯槽の湯水のみを加熱する第２加熱手段と、
前記放熱往き路に配置され、少なくとも前記放熱往き路の湯水を加熱する補助加熱手段とを備えている貯湯式熱源装置であって、その特徴構成は、
前記貯湯槽下部の配管に前記放熱戻り路と前記第１加熱手段への往き路とを、前記貯湯槽上部の配管に前記放熱往き路と前記第１加熱手段からの戻り路とを接続し、
前記貯湯槽下部の配管及び前記貯湯槽上部の配管とは別に、前記第２加熱手段への往き路と前記第２加熱手段からの戻り路とを前記貯湯槽に直接接続すると共に、
前記放熱往き路と前記放熱戻り路とを直接接続して、前記貯湯槽と前記第１加熱手段とをバイパスするバイパス路を備えている点にある。
【０００７】
ここで、貯湯槽下部の配管とは、貯湯槽下部に直接接続されている配管を意味しており、貯湯槽上部の配管とは、貯湯槽上部に直接接続されている配管を意味している。
上記特徴構成によれば、第１加熱手段への往き路及び第１加熱手段からの戻り路と第２加熱手段への往き路及び第２加熱手段からの戻り路とは別に、放熱往き路及び放熱戻り路とを直接接続するバイパス路が設けられている。即ち、当該構成によれば、バイパス路には、第１加熱手段及び第２加熱手段が設けられていないため、湯水を、放熱往き路、放熱戻り路、及びバイパス路を循環させる場合に、放熱ロスを低減することができる。
また、上記特徴構成によれば、第１加熱手段が停止している状態で、補助加熱手段を働かせて、放熱部へ熱を供給する放熱運転を、従来技術の如く、第２バイパス路や三方弁等を設けることのない簡易な構成にて実行できる。
さらに、上記特徴構成によれば、貯湯槽上部の配管を介して、第１加熱手段の戻り路と放熱往き路とを直接接続すると共に、貯湯槽下部の配管を介して、第１加熱手段の往き路と放熱戻り路とを直接接続しているから、第２加熱手段の影響を受けることなく、第１加熱手段にて加熱された湯水を直接放熱部へ導いて、放熱部に熱を供給することができる。
【０００８】
本発明の貯湯式熱源装置の更なる特徴構成は、
前記貯湯槽下部の湯水を、前記第１加熱手段への往き路を介して、前記第１加熱手段を通流させた後に、前記第１加熱手段の戻り路を介して、前記貯湯槽上部に戻す形態で、循環させる第１加熱循環回路と、
湯水を、少なくとも前記放熱往き路と前記放熱戻り路を介して、前記放熱部に通流させる形態で、循環させる放熱循環回路と、
前記バイパス路を通流する湯水流量を調整可能なバイパス流量調整手段と、
前記第１加熱循環回路と前記放熱循環回路における湯水循環状態を制御する湯水循環状態制御手段とを備え、
前記第１加熱循環回路と前記放熱循環回路との両方に湯水を循環させて前記第１加熱手段による湯水の加熱と前記放熱部による湯水の放熱とを同時に行う加熱放熱運転時において、
前記湯水循環状態制御手段が、前記放熱戻り路から前記貯湯槽下部の配管への放熱戻り湯水流量を、前記第１加熱循環回路の加熱循環流量以下に維持するように、前記バイパス流量調整手段によるバイパス流量を制御する点にある。
【０００９】
上記特徴構成によれば、第１加熱手段による湯水の加熱と放熱部による湯水の放熱を同時に行う加熱放熱運転時において、放熱戻り路から貯湯槽下部の配管への放熱戻り湯水流量を、第１加熱循環回路の加熱循環流量以下となるように、湯水循環状態が制御されているので、貯湯槽下部に接続される配管には、常に貯湯槽下部から湯水が供給される状態となる。これにより、中高温の放熱戻り湯水の全量が、第１加熱手段への往き路にて第１加熱手段の側へ供給され、中高温の放熱戻り湯水が貯湯槽下部に流入することを防止でき、貯湯槽での成層貯湯状態を維持できる。
また、このように、貯湯槽での成層貯湯状態が維持されている場合、当該貯湯槽下部には、低温の湯水が貯湯されることとなる。このため、第２加熱手段を働かせて、貯湯槽下部の湯水を加熱するときには、当該貯湯槽の低温の湯水にて、第２加熱手段による熱を回収できるため、熱効率を高めることができる。
【００１０】
本発明の貯湯式熱源装置の更なる特徴構成は、
前記放熱循環回路の前記放熱往き路を通流する湯水の温度を測定する第１温度測定手段を備え、
前記第１加熱循環回路と前記放熱循環回路との両方に湯水を循環させて前記第１加熱手段による湯水の加熱と前記放熱部による湯水の放熱とを同時に行う加熱放熱運転時において、
前記湯水循環状態制御手段が、前記第１温度測定手段にて測定される湯水温度が、前記放熱部にて要求される第１設定温度となるように、前記バイパス流量調整手段によるバイパス流量を制御する点にある。
【００１１】
上記特徴構成によれば、加熱放熱運転時において、バイパス流量を制御するといった簡易な制御のみで、放熱部に導かれる湯水の温度を、放熱部にて要求される第１設定温度に制御できる。
【００１２】
本発明の貯湯式熱源装置の更なる特徴構成は、
前記第１加熱手段が、ヒートポンプを構成する凝縮器であり、
前記第２加熱手段が、燃料電池の排熱にて湯水を加熱する第１排熱回収熱交換器である点にある。
【００１３】
上記特徴構成によれば、燃料電池の発電に余剰電力が発生した場合、当該余剰電力を用いてヒートポンプを駆動することで、余剰電力を熱に変換して貯湯槽に蓄熱することができる。
これにより、蓄熱された熱を、例えば、給湯等に利用することができ、余剰電力を給湯利用される熱として有効に活用することができ、エネルギー効率の向上を図ることができる。
【００１４】
本発明の貯湯式熱源装置の更なる特徴構成は、
前記第１加熱手段が、発電機を回転駆動するエンジンの排熱にて湯水を加熱する第２排熱熱交換器であり、
前記第２加熱手段が、ヒートポンプを構成する凝縮器である点にある。
【００１５】
上記特徴構成によれば、第１加熱手段として、比較的多くの排熱を発生するエンジンの排熱にて湯水を加熱する第２排熱熱交換器を採用することで、エンジンの排熱を、暖房の用途等に供される放熱部へ、良好に供給することができる。
また、当該エンジンにて回転駆動される発電機にて発電された電力に、余剰電力が発生した場合、当該余剰電力を、ヒートポンプを構成する圧縮機等の駆動に用いることにより、余剰電力を熱に変換して貯湯槽に蓄熱することができる。
【図面の簡単な説明】
【００１６】
【図１】貯湯給湯モードでの湯水循環状態を示す概略構成図
【図２】ボイラ給湯モードでの湯水循環状態を示す概略構成図
【図３】ボイラ暖房モードでの湯水循環状態を示す概略構成図
【図４】ＥＨＰ暖房・蓄熱モードでの湯水循環状態を示す概略構成図
【図５】加熱運転に係るフロー制御図
【図６】放熱運転に係るフロー制御図
【図７】加熱放熱運転に係るフロー制御図
【図８】貯湯給湯・ボイラ暖房モードでの湯水循環状態を示す概略構成図
【図９】ボイラ給湯・ボイラ暖房モードでの湯水循環状態を示す概略構成図
【図１０】ＥＨＰ蓄熱モードでの湯水循環状態を示す概略構成図
【図１１】別実施形態を示す概略構成図
【図１２】別実施形態に係るフロー制御図
【図１３】別実施形態に係るフロー制御図
【発明を実施するための形態】
【００１７】
本発明の貯湯式熱源装置１００の第１の特徴は、図４に示すように、第１加熱手段としての電動圧縮式ヒートポンプ（以下「ＥＨＰ」と略称）１１を働かせる場合には、第２加熱手段としての固体酸化物型燃料電池（以下「ＳＯＦＣ」と略称）６０の影響を受けない状態で、当該ＥＨＰ１１にて加熱した湯水を、放熱熱交換器１８（放熱部の一例）へ導いて適切に熱を供給できながら、ＥＨＰ１１を停止させる場合には、比較的簡易な構成を維持しながらも、補助加熱手段としてのバーナ燃焼装置１７ａにより湯水を加熱するバーナ加熱式熱交換器１７を働かせて、放熱部へ適切に熱を供給できる点にある。
また、第２の特徴は、貯湯槽１４に貯湯される湯水を加熱すると共に、熱を必要とする放熱熱交換器１８へ湯水の熱を放熱する加熱放熱運転を行っているときに、放熱循環回路Ｃ２により貯湯槽１４の下部へ中高温の湯水が還流することを防止して、貯湯槽１４の成層貯湯状態を維持しながら、第１加熱循環回路Ｃ１ａにより貯湯槽１４の上部へ高温の湯水を戻して蓄熱可能にする点にある。
以下、まず、図４により、貯湯式熱源装置１００の基本構成について説明する。
【００１８】
貯湯式熱源装置１００は、湯水を貯湯する貯湯槽１４と、その第１加熱往き路Ｒ１が貯湯槽１４の下部の配管７０に接続されると共にその第１加熱戻り路Ｒ２が貯湯槽１４の上部の配管７１に接続される第１加熱循環回路Ｃ１ａと、その放熱往き路Ｒ３が貯湯槽１４の上部の配管７１に接続されると共にその放熱戻り路Ｒ４が貯湯槽１４の下部の配管７０に接続される放熱循環回路Ｃ２と、上記第１加熱循環回路Ｃ１ａとは独立した状態で、その第２加熱往き路Ｒ１０が貯湯槽１４の下部に接続されると共にその第２加熱戻り路Ｒ１１が貯湯槽１４の上部に接続される第２加熱循環回路Ｃ１ｂとを備えている。
即ち、第２加熱往き路Ｒ１０は、貯湯槽１４の下部の配管７１と独立して、貯湯槽１４の下部へ接続されると共に、第２加熱戻り路Ｒ１１は、貯湯槽１４の上部の配管７１と独立して、貯湯槽１４の上部へ接続されている。
ここで「独立」とは、第２加熱循環回路Ｃ１ｂと、第１加熱循環回路Ｃ１ａとは、別個に貯湯槽１４との間で、循環路を形成することを意味する。さらに、本実施形態の場合、第２加熱循環回路Ｃ１ｂは、放熱循環回路Ｃ２に対しても、独立である。
【００１９】
〔加熱循環回路に係る構成〕
第１加熱循環回路Ｃ１ａには、その上流側から順に、当該第１加熱循環回路Ｃ１ａに湯水を循環させる第１加熱循環ポンプ１２ａと、第１加熱循環回路Ｃ１ａを循環する湯水を加熱するＥＨＰ１１（第１加熱手段の一例）と、ＥＨＰ１１にて加熱された湯水の温度を測定する第１温度センサＴ１とが設けられている。
ここで、ＥＨＰ１１は、よく知られているように、熱媒循環路１１ｅを循環する熱媒を、当該熱媒を圧縮する圧縮機１１ｄと、当該圧縮にて昇温した熱媒と湯水とを熱交換させる凝縮器１１ａと、凝縮器１１ａを通過した後の熱媒を膨張させる膨張弁１１ｂと、膨張弁１１ｂによる膨張にて降温した熱媒と外気とを熱交換させる蒸発器１１ｃとを、記載順に循環させて、湯水を加熱するように構成されている。
一方、第２加熱循環回路Ｃ１ｂには、その上流側から順に、当該第２加熱循環回路Ｃ１ｂに湯水を循環させる第２加熱循環ポンプ１２ｂと、第２加熱循環回路Ｃ１ｂを循環する湯水を発電時の排熱にて加熱するＳＯＦＣ６０（第２加熱手段の一例）とが、設けられている。本願にあっては、第２加熱手段としてのＳＯＦＣ６０は常に作動状態であるため、第２加熱循環ポンプ１２ｂを常に働かせて、第２加熱循環回路Ｃ１ｂに湯水を通流させ、ＳＯＦＣ６０の排熱を回収し（ＳＯＦＣ６０を冷却し）、貯湯槽１４に貯湯するように構成されている。
尚、ＳＯＦＣ６０にて発電される電力に余剰電力がある場合、当該余剰電力を、第１加熱手段としてのＥＨＰ１１の圧縮機１１ｄ等を働かせることに用いることで、熱として貯湯槽１４に貯湯可能に構成されている。
【００２０】
また、貯湯槽１４は、その下部の配管７０を介して、第１加熱循環回路Ｃ１ａの第１加熱往き路Ｒ１へ低温の湯水を供給すると共に、その上部の配管７１を介して、第１加熱循環回路Ｃ１ａの第１加熱戻り路Ｒ２から高温の湯水が供給される。さらに、貯湯槽１４は、その下部から第２加熱循環回路Ｃ１ｂの第２加熱往き路Ｒ１０へ低温の湯水を供給すると共に、上部に第２加熱循環回路Ｃ１ｂの第２加熱戻り路Ｒ１１から高温の湯水が供給される。
これにより、貯湯槽１４は、上部から下部に亘って、温度成層が形成され、成層貯湯状態が維持されることとなる。
【００２１】
〔放熱循環回路に係る構成〕
放熱循環回路Ｃ２は、その放熱往き路Ｒ３が、貯湯槽１４の上部の配管７１を介して、第１加熱循環回路Ｃ１ａの第１加熱戻り路Ｒ２に接続されると共に、その放熱戻り路Ｒ４が、貯湯槽１４の下部の配管７０を介して、第１加熱循環回路Ｃ１ａの第１加熱往き路Ｒ１に接続されている。放熱戻り路Ｒ４と第１加熱往き路Ｒ１との間には、放熱戻り路Ｒ４と外部からの給水を供給する給水路Ｒ８との連通状態を切り換え可能な切換弁１３が設けられている。
放熱循環回路Ｃ２には、その上流側から順に、当該放熱循環回路Ｃ２に湯水を循環させる放熱循環ポンプ１６と、当該放熱循環回路Ｃ２を循環する湯水の温度を測定する第２温度センサＴ２と、バーナ燃焼装置１７ａにより湯水を加熱するバーナ加熱式熱交換器１７（補助加熱手段の一例）と、湯水と熱媒とを熱交換する放熱熱交換器１８（放熱部の一例）と、放熱循環回路Ｃ２の開閉状態を切り換える開閉弁１９とを備えて構成されている。
【００２２】
尚、上記熱媒は、放熱熱交換器１８と放熱用端末３０との間に配設される熱媒循環回路Ｃ３を循環するものであり、放熱熱交換器１８にて湯水の熱を回収すると共に、回収した熱を放熱用端末３０にて放熱する。熱媒循環回路Ｃ３には、熱媒を循環する熱媒循環ポンプ３２と、熱媒を貯留自在な大気開放型の熱媒タンク３１とが設けられている。
【００２３】
以上の構成により、放熱循環回路Ｃ２を通流する湯水の温度、即ち、第２温度センサＴ２にて測定される温度が、放熱熱交換器１８にて必要とされる設定温度よりも低い場合、バーナ燃焼装置１７ａを働かせてバーナ加熱式熱交換器１７にて、湯水を設定温度にまで昇温させる。
尚、放熱循環回路Ｃ２でバーナ加熱式熱交換器１７の下流側には、バーナ加熱式熱交換器１７にて昇温された湯水の温度を測定する第３温度センサＴ３が設けられており、制御装置２０は、第３温度センサＴ３の温度が設定温度となるように、バーナ燃焼装置１７ａの燃焼状態を制御する。
一方、放熱循環回路Ｃ２には、貯湯槽１４をバイパスする第１バイパス路Ｒ５（バイパス路の一例）が設けられており、当該第１バイパス路Ｒ５と放熱循環回路Ｃ２の放熱往き路Ｒ３との接続部位には、三方弁１５が設けられている。当該三方弁１５の開度状態を制御して、第１バイパス路Ｒ５を循環する湯水流量Ｌ３を増加させることで、第１加熱手段としてのＥＨＰ１１に接続している貯湯槽１４側を通流する湯水の流量を減少させて、放熱熱交換器１８に導かれる湯水の温度を低下させることができる。
これにより、放熱循環回路Ｃ２を通流する湯水の温度、即ち、第２温度センサＴ２にて測定される温度が、放熱熱交換器１８にて必要とされる第１設定温度よりも高い場合、上記第１バイパス路Ｒ５を通流する流量Ｌ３を増加させるように、三方弁１５の開度状態を制御して、湯水を第１設定温度にまで降温させる。
【００２４】
〔給湯に係る構成〕
放熱循環回路Ｃ２の一部を経由して、貯湯槽１４から供給される湯水は、バーナ加熱式熱交換器１７を通流する非バイパス状態と、第２バイパス路Ｒ６により、三方弁１５、放熱循環ポンプ１６、バーナ加熱式熱交換器１７、流量調整弁４１等をバイパスするバイパス状態とを切り換える形態で、給湯利用箇所４３へ供給可能に構成されている。
【００２５】
説明を加えると、非バイパス状態を実現すべく、放熱循環回路Ｃ２には、バーナ加熱式熱交換器１７と放熱熱交換器１８との間において、貯湯槽１４から供給される湯水を給湯利用箇所４３へ導く給湯路Ｒ９が接続されており、当該給湯路Ｒ９には、給湯用として導かれる湯水の流量を調整可能な流量調整弁４１が設けられている。尚、以下、特に説明のない限り、給湯利用箇所４３から給湯される湯水の流量は、当該流量調整弁４１の開度制御により調整される。
非バイパス状態にあっては、バーナ加熱式熱交換器１７を通流した湯水が、給湯路Ｒ９を介して給湯利用箇所４３へ導かれる。
【００２６】
一方、バイパス状態を実現すべく、放熱循環回路Ｃ２には、貯湯槽１４から供給される湯水を、上記バーナ加熱式熱交換器１７をバイパスする状態で、給湯路Ｒ９へ導く第２バイパス路Ｒ６が設けられている。
バイパス状態にあっては、第２バイパス路Ｒ６を通流することで、バーナ加熱式熱交換器１７をバイパスした湯水が、給湯路Ｒ９を介して給湯利用箇所４３へ導かれる。
【００２７】
以上の構成により、貯湯槽１４内の上部の湯水の温度、即ち、第５温度センサＴ５にて測定される湯水の温度が、給湯利用箇所４３にて必要とされる給湯設定温度未満の場合、非バイパス状態にて湯水を供給することで、バーナ加熱式熱交換器１７にて湯水を加熱し昇温させた状態で、湯水を給湯利用箇所４３へ供給することができる。
一方、貯湯槽１４内の上部の湯水の温度、即ち、第５温度センサＴ５にて測定される湯水の温度が、給湯利用箇所４３にて必要とされる給湯設定温度以上の場合、バイパス状態にて湯水を供給して、バーナ加熱式熱交換器１７による不要な加熱をしない状態で、湯水を給湯利用箇所４３へ供給する。
尚、給湯利用箇所４３に導かれる湯水の温度が、給湯利用箇所４３にて必要とされる給湯設定温度より高い場合には、図示しない給水路から湯水が混合されることで、給湯設定温度に調整された湯水が、給湯利用箇所４３から供給されることとなる。
【００２８】
本発明の貯湯式熱源装置１００は、これまで説明した回路構成において、湯水循環状態を適切に制御することで、複数の運転モードを実行可能に構成されている。以下、その点について、説明を加える。尚、以下の各運転モードにおいては、各運転モードでの湯水循環状態の違いを明確に示すため、湯水又は熱媒が循環している流路を太線で示している。
【００２９】
〔貯湯給湯モード〕
貯湯給湯モードは、貯湯槽１４の上部から供給される湯水の温度が、給湯利用箇所４３にて要求される温度よりも高い場合、図１に示すように、貯湯槽１４に貯湯している湯水を、給湯利用箇所４３へ直接供給する運転モードである。
当該貯湯給湯モードにあっては、制御装置２０が、切換弁１３を給水−貯湯槽１４側に制御して、給水路Ｒ８から貯湯槽１４の下部へ給水する。そして、第２バイパス路Ｒ６を通流させる状態で、バーナ加熱式熱交換器１７をバイパスして、放熱循環ポンプ１６の圧力を使わずに上水の圧力で貯湯槽１４から取り出した湯水を、給湯利用箇所４３へ直接供給する。
ここで、制御装置２０は、給湯利用箇所４３の直前にて、図示しない給水路から給水して降温させる形態で、湯水の温度を、給湯利用箇所４３にて要求される温度に調整する。
【００３０】
〔ボイラ給湯モード〕
ボイラ給湯モードは、貯湯槽１４の上部から供給される湯水の温度が、給湯利用箇所４３にて要求される温度よりも低い場合、図２に示すように、補助加熱手段としてのバーナ燃焼装置１７ａを働かせることで、貯湯槽１４に貯湯している湯水をバーナ加熱式熱交換器１７で加熱して、給湯利用箇所４３へ供給する運転モードである。
当該ボイラ給湯モードにあっては、制御装置２０が、切換弁１３を給水−貯湯槽１４側に制御して、給水路Ｒ８から貯湯槽１４の下部へ給水する。そして、放熱循環ポンプ１６を働かせて、流量調整弁４１の開度状態を調整する。
ここで、制御装置２０は、バーナ燃焼装置１７ａを働かせて、バーナ加熱式熱交換器１７を通流する湯水を加熱することで、加熱後の湯水の温度（第３温度センサＴ３にて測定される湯水温度）を、給湯利用箇所４３にて要求される温度にまで昇温させる。
【００３１】
〔ボイラ暖房モード〕
ボイラ暖房モードは、図３に示すように、熱源として、補助加熱手段としてのバーナ燃焼装置１７ａのみを働かせて、放熱熱交換器１８に熱を供給し、放熱用端末３０としての床暖房装置等を働かせる運転モードである。
当該ボイラ暖房モードにおいては、制御装置２０が、放熱循環ポンプ１６を働かせると共に、当該放熱循環ポンプ１６にて送り出された湯水が、放熱戻り路Ｒ４において、第１バイパス路Ｒ５の側に導かれると共に、第１加熱手段としてのＥＨＰ１１に接続している貯湯槽１４側には導かれないように、三方弁１５の開度状態を制御する。
即ち、当該ボイラ暖房モードでの湯水循環状態にあっては、放熱循環回路Ｃ２の一部と第１バイパス路Ｒ５とから構成される閉回路を、湯水が循環する状態となり、貯湯槽１４及び第１加熱手段としてのＥＨＰ１１の側を、湯水が循環することはない。
制御装置２０は、放熱循環回路Ｃ２の開閉弁１９を開放状態として、放熱循環回路Ｃ２の一部及び第１バイパス路Ｒ５から構成される閉回路に湯水が循環している状態で、放熱熱交換器１８に導かれる湯水温度、即ち、放熱熱交換器１８の上流側の第３温度センサＴ３にて測定される湯水温度が、放熱熱交換器１８にて要求される温度となるように、バーナ燃焼装置１７ａの燃焼状態を制御し、放熱熱交換器１８へ、要求される温度の湯水を供給する。
以上のごとく、制御装置２０、放熱循環ポンプ１６、三方弁１５、及び第３温度センサＴ３が、湯水循環状態制御手段として働く。
【００３２】
〔ＥＨＰ暖房・蓄熱モード〕
ＥＨＰ暖房・蓄熱モードは、図４に示すように、ＥＨＰ１１の凝縮器１１ａにて回収した湯水の熱を、貯湯槽１４に蓄熱すると共に、放熱熱交換器１８にて放熱させる運転モードである。
当該ＥＨＰ暖房・蓄熱モードにおいては、以下に示す加熱運転、放熱運転、及び加熱放熱運転を、並列に実行する。尚、ここで、並列に実行するとは、３つの運転のすべてを実行状態にすることであり、加熱運転及び放熱運転を実行しながら、加熱放熱運転を実行することを意味する。
【００３３】
加熱運転においては、図５に示すように、制御装置２０は、外部からの加熱運転の開始指令により、加熱運転開始処理を実行する（♯１１）。
制御装置２０は、第１加熱循環ポンプ１２ａを最小流量で運転する（♯１２）。
その後、制御装置２０は、第１加熱循環回路Ｃ１ａを循環する湯水を加熱するべく、ＥＨＰ１１を働かせると共に、ＥＨＰ１１にて昇温された湯水の温度、即ち、第１温度センサＴ１の湯水の温度が貯湯温度になるように、第１加熱循環ポンプ１２ａの回転数を制御して、加熱循環流量Ｌ１を調整する（♯１３）。
制御装置２０は、加熱運転の終了指令があるまで、♯１３のステップを繰り返し実行する（♯１４）。
一方、加熱運転の終了指令があった場合、制御装置２０は、加熱運転を終了すべく、第１加熱循環ポンプ１２ａ等を停止させる加熱運転終了処理を実行する（♯１５）。
【００３４】
放熱運転においては、図６に示すように、制御装置２０は、外部からの放熱運転の開始指令により、放熱運転開始処理を実行する（♯２１）。即ち、三方弁１５の開度状態を、湯水が第１バイパス路Ｒ５に導かれると共に、第１加熱手段としてのＥＨＰ１１に接続している貯湯槽１４側には導かれない状態とし、放熱循環回路Ｃ２に設けられる開閉弁１９を開放状態とする。
制御装置２０は、放熱循環ポンプ１６を所定流量で運転する（♯２２）。
その後、制御装置２０は、バーナ加熱式熱交換器１７（補助加熱手段の一例）を通過した湯水の温度、即ち、第３温度センサＴ３にて測定される温度が、第１設定温度となるように、バーナ燃焼装置１７ａを働かせる（♯２３）。
制御装置２０は、放熱運転の終了指令があるまで、♯２３のステップを繰り返し実行する（♯２４）。
一方、放熱運転の終了指令があった場合、制御装置２０は、放熱運転を終了すべく、放熱循環ポンプ１６等を停止させる放熱運転終了処理を実行する（♯２５）。
【００３５】
制御装置２０は、以上の加熱運転及び放熱運転を実行しながら、以下の加熱放熱運転を実行する。
加熱放熱運転においては、図７に示すように、制御装置２０は、外部からの加熱放熱運転の開始指令により、加熱放熱運転開始処理を実行する（♯３１）。即ち、切換弁１３を給水−両側とすることにより、三方とも開放状態とする。
このとき、制御装置２０は、三方弁１５の開度状態を、湯水が第１バイパス路Ｒ５に導かれると共に、第１加熱手段としてのＥＨＰ１１に接続している貯湯槽１４側には導かれない状態にしている。また、放熱循環回路Ｃ２の通流状態を制御する開閉弁１９を、開放状態にしている。
【００３６】
制御装置２０（加熱循環流量推定手段２０ａ）は、第１加熱循環ポンプ１２ａの回転数に基づいて、第１加熱循環回路Ｃ１ａを循環する加熱循環流量Ｌ１を推定する（♯３２）。
尚、第１加熱循環ポンプ１２ａの回転数は、当該第１加熱循環ポンプ１２ａへの印加電圧及び印加周波数から推定することができる。
【００３７】
さらに、制御装置２０（放熱戻り流量推定手段２０ｂ）は、バーナ加熱式熱交換器１７を通流する湯水の流量を測定する第１流量センサＦ１の測定結果と、三方弁１５の開度比率から、放熱戻り路Ｒ４から第１加熱往き路Ｒ１へ導かれる放熱戻り湯水流量Ｌ２を推定する（♯３３）。
即ち、制御装置２０は、三方弁１５の貯湯槽１４側の開度と、第１バイパス路Ｒ５側との開度の比率から、放熱循環回路Ｃ２の放熱熱交換器１８を通流する湯水流量（第１流量センサＦ１にて測定される湯水流量）のうち、放熱戻り路Ｒ４を通流する放熱戻り湯水流量Ｌ２を推定する。
【００３８】
制御装置２０は、推定された放熱戻り湯水流量Ｌ２が加熱循環流量Ｌ１以下、且つ、放熱往き湯水の温度が第１設定温度以下（第２温度センサＴ２にて測定される温度が第１設定温度以下）の場合、三方弁１５を、貯湯槽１４側へ少し開く（♯３４、♯３５）。
このとき、放熱戻り湯水流量Ｌ２が加熱循環流量Ｌ１以下であるので、三方弁１５を貯湯槽１４側へ少し開いても、貯湯槽１４側へ導かれる放熱戻り湯水は、貯湯槽１４の下部へ流入することなく、第１加熱往き路Ｒ１に導かれることとなる。一方、放熱往き路Ｒ３には、第１加熱循環回路Ｃ１ａを循環して昇温した湯水が導かれることととなり、熱効率が向上する。
尚、ここで、放熱戻り湯水流量Ｌ２が加熱循環流量Ｌ１と等しい場合、即ち、貯湯槽１４の下部から送り出される湯水流量Ｌ４がゼロの場合、貯湯槽１４への蓄熱量はゼロになる湯水循環状態を、ＥＨＰ暖房・蓄熱モードの特殊な場合として、ＥＨＰ暖房モードと呼ぶ。
【００３９】
一方、制御装置２０は、放熱戻り湯水流量Ｌ２が加熱循環流量Ｌ１より大きい、又は、加熱往き湯水の温度が第１設定温度より高い（第２温度センサＴ２にて測定される温度が第１設定温度より高い）場合、三方弁１５を、第１バイパス路Ｒ５側へ少し開く（♯３６）。
これにより、中高温の放熱戻り湯水が、貯湯槽１４の下部へ導かれることが防止されると共に、放熱循環回路Ｃ２を循環する湯水の温度が、放熱熱交換器１８にて必要とされる温度に維持される。
【００４０】
制御装置２０は、加熱放熱運転の終了指令があるまで、♯３２〜♯３６のステップを繰り返し実行する（♯３７）。
一方、加熱放熱運転の終了指令があった場合、制御装置２０は、加熱放熱運転を終了すべく、切換弁１３を給水−貯湯槽１４側に、三方弁１５を、第１バイパス路Ｒ５側にする（♯３８）。
【００４１】
以上のごとく、制御装置２０、第１加熱循環ポンプ１２ａ、放熱循環ポンプ１６、三方弁１５、第１温度センサＴ１、第２温度センサＴ２、第３温度センサＴ３、及び第１流量センサＦ１が、湯水循環状態制御手段として働く。
【００４２】
〔貯湯給湯・ボイラ暖房モード〕
貯湯給湯・ボイラ暖房モードは、貯湯槽１４の上部から供給される湯水の温度が、給湯利用箇所４３にて要求される温度よりも高い場合、図８に示すように、貯湯槽１４に貯湯された湯水を給湯利用箇所４３へ直接供給すると共に、放熱循環回路Ｃ２の一部及び第１バイパス路Ｒ５を循環させて、放熱熱交換器１８にて放熱させる運転モードである。
当該貯湯給湯・ボイラ暖房モードは、上述した貯湯給湯モードとボイラ暖房モードの単なる組み合わせであるので、ここでは、その説明を割愛する。
【００４３】
〔ボイラ給湯・ボイラ暖房モード〕
ボイラ給湯・ボイラ暖房モードは、貯湯槽１４の上部から供給される湯水の温度が、給湯利用箇所４３にて要求される温度よりも低い場合、図９に示すように、補助加熱手段としてのバーナ燃焼装置１７ａを働かせることで、貯湯槽１４に貯湯している湯水をバーナ加熱式熱交換器１７で加熱して、給湯利用箇所４３へ供給すると共に、放熱循環回路Ｃ２の一部及び第１バイパス路Ｒ５を循環させて、放熱熱交換器１８にて放熱させる運転モードである。
当該ボイラ給湯・ボイラ暖房モードにあっては、制御装置２０が、切換弁１３を給水−貯湯槽１４側に制御して、給水路Ｒ８から貯湯槽１４の下部へ給水することによって、貯湯槽１４の上部の湯水を、放熱往き路Ｒ３から給湯路Ｒ９を介して給湯利用箇所４３へ供給する。そして、放熱循環ポンプ１６を働かせて、開閉弁１９を開状態とし、放熱循環回路Ｃ２の一部及び第１バイパス路Ｒ５からなる循環回路を循環させるように、三方弁１５の開度状態を制御する。
即ち、このように、切換弁１３と三方弁１５の開度状態が制御されている場合、湯水が、放熱戻り路Ｒ４において、第１バイパス路Ｒ５側に導かれると共に貯湯槽１４側には導かれない。
ここで、制御装置２０は、給湯利用箇所４３へ所望の温度の湯水を供給すると共に、放熱熱交換器１８にて所望の熱量を放熱すべく、以下のような制御を実行する。
【００４４】
即ち、バーナ燃焼装置１７ａを働かせて、バーナ加熱式熱交換器１７を通流する湯水を加熱することで、加熱後の湯水の温度（第３温度センサＴ３にて測定される湯水温度）を、給湯利用箇所４３にて要求される温度と放熱熱交換器１８にて要求される温度の高い方の温度にまで昇温させる。
ここで、制御装置２０は、加熱後の湯水の温度（第３温度センサＴ３にて測定される湯水温度）が、給湯利用箇所４３にて要求される湯水温度より高い場合、給湯利用箇所４３の直前にて、図示しない給水路から給水して降温させる形態で、湯水の温度を、給湯利用箇所４３にて要求される温度に調整する。
一方、制御装置２０は、加熱後の湯水の温度（第３温度センサＴ３にて測定される湯水温度）が、放熱熱交換器１８にて要求される温度より高い場合、放熱熱交換器１８にて所望の熱量を放熱させるように、熱媒循環ポンプ３２を間欠運転させる。
以上のごとく、制御装置２０、放熱循環ポンプ１６、切換弁１３、三方弁１５、及び第３温度センサＴ３が、湯水循環状態制御手段として働く。
【００４５】
〔ＥＨＰ蓄熱モード〕
ＥＨＰ蓄熱モードは、図１０に示すように、ＥＨＰ１１を働かせて、貯湯槽１４に蓄熱する運転モードである。
当該ＥＨＰ蓄熱モードは、例えば、制御装置２０が、第１加熱循環回路Ｃ１ａにて、ＥＨＰ１１の下流側で貯湯槽１４の上流側における温度を測定する第１温度センサＴ１の温度が、貯湯温度となるように、第１加熱循環ポンプ１２ａによる湯水の循環流量を制御する。
尚、ここで、当該ＥＨＰ蓄熱モードは、上述した貯湯給湯モード、ボイラ給湯モード、ボイラ暖房モード、貯湯給湯・ボイラ暖房モード、ボイラ給湯・ボイラ暖房モードと、並列に実行可能な運転モードである。
以上のごとく、制御装置２０、第１加熱循環ポンプ１２ａ、第１温度センサＴ１が、湯水循環状態制御手段として働く。
なお、制御装置２０は、ＥＨＰ暖房モードの時に給湯が発生した場合は、一時的に貯湯給湯・ボイラ暖房モードとＥＨＰ蓄熱モードもしくはボイラ給湯・ボイラ暖房モードとＥＨＰ蓄熱モードに切り換えて、給湯が終了した時に、ＥＨＰ暖房モードに復帰する制御を実行する。
【００４６】
〔別実施形態〕
（１）
上記実施形態では、第１加熱手段としてＥＨＰ１１を備えると共に、第２加熱手段としてＳＯＦＣ６０を備えた例を示した。
しかしながら、例えば、第１加熱手段として発電機等を駆動するガスエンジンを備えると共に、第２加熱手段としてＥＨＰ１１を備えることもできる。
この場合、ガスエンジンの排熱を、放熱熱交換器１８へ供給して暖房等に用いることができると共に、余剰熱がある場合には、貯湯槽１４へ良好に蓄熱させることができる。
尚、ガスエンジンにて駆動される発電機にて発電した電力に余剰がある場合、当該余剰電力を、ＥＨＰ１１の圧縮機１１ｄの駆動に用いて、熱に変換し、貯湯槽１４へ蓄熱することができる。
また、第１加熱手段及び第２加熱手段としては、太陽熱回収パネル等を採用することもできる。
【００４７】
（２）
上記実施形態にあっては、貯湯槽１４の上部の配管７１に、第１加熱戻り路Ｒ２が接続されると共に、放熱往き路Ｒ３が接続されている構成を例として示した。しかしながら、本発明にあっては、第１加熱戻り路Ｒ２と放熱往き路Ｒ３とが、夫々独立して、直接貯湯槽１４の上部に接続する構成であっても構わない。
【００４８】
（３）
上記実施形態にあっては、制御装置２０は、加熱放熱運転において、放熱戻り湯水流量Ｌ２及び加熱循環流量Ｌ１を推定し、放熱戻り湯水流量Ｌ２が加熱循環流量Ｌ１以下となるように、湯水循環状態を制御した。これは、放熱戻り湯水流量Ｌ２の全量が第１加熱往き路Ｒ１へ向けて、湯水が通流していること（通流停止を含む）を担保するためのものである。
本発明にあっては、放熱戻り湯水流量Ｌ２が第１加熱往き路Ｒ１へ、湯水が通流していることを担保すべく、貯湯槽１４から第１加熱往き路Ｒ１へ向かう湯水の流量を直接測定し、当該湯水の流量が０以上となるように、湯水循環状態を制御してもよい。
【００４９】
説明を加えると、図１１に示すように、貯湯槽１４の下部の配管７０に第２流量センサＦ２を備える。
そして、制御装置２０は、図１２に示す制御フローに従って、加熱放熱運転を制御する。
尚、図１２に示す制御フローは、図７に示す制御フローに対し、♯３２、♯３３のステップを行わず、♯３４の判定のステップに替えて、以下の♯４２の判定のステップを実行するものである。
【００５０】
〔加熱放熱運転〕
図１２に示すように、制御装置２０は、外部からの加熱放熱運転の開始指令により、加熱放熱運転開始処理を実行する（♯４１）。即ち、切換弁１３を給水−両側とすることにより、三方とも開放状態とする。
制御装置２０は、貯湯槽１４から第１加熱往き路Ｒ１へ向かう湯水流量Ｌ４が０以上（第２流量センサＦ２にて測定される湯水流量が０以上）、且つ、放熱往き湯水の温度が第１設定温度以下（第２温度センサＴ２にて測定される温度が第１設定温度以下）の場合、三方弁１５を、貯湯槽１４側へ少し開く（♯４２、４３）。
【００５１】
一方、制御装置２０は、貯湯槽１４から第１加熱往き路Ｒ１へ向かう湯水流量Ｌ４が０未満（第２流量センサＦ２にて測定される湯水流量が０未満）、又は、放熱往き湯水の温度が第１設定温度より高い（第２温度センサＴ２にて測定される温度が第１設定温度より高い）場合、三方弁１５を、第１バイパス路Ｒ５側へ少し開く（♯４４）。
制御装置２０は、加熱放熱運転の終了指令があるまで、♯４２〜♯４４のステップを繰り返し実行する（♯４５）。
一方、加熱放熱運転の終了指令があった場合、制御装置２０は、加熱放熱運転を終了すべく、切換弁１３を給水−貯湯槽１４側に、三方弁１５を、第１バイパス路Ｒ５側にする（♯４６）。
当該別実施形態では、制御装置２０、第１加熱循環ポンプ１２ａ、放熱循環ポンプ１６、三方弁１５、第１温度センサＴ１、第２温度センサＴ２、第３温度センサＴ３、第１流量センサＦ１、及び第２流量センサＦ２が、湯水循環状態制御手段として働く。
【００５２】
（４）
制御装置２０は、加熱放熱運転において、湯水温度に基づいて、湯水循環状態を制御するように構成しても構わない。
当該別実施形態においては、図１１に示すように、貯湯槽１４の下部の配管７０の湯水の温度を測定する第７温度センサＴ７を設けると共に、放熱戻り路Ｒ４で第１バイパス路Ｒ５との接続部よりも上流側にて湯水の温度を測定する第６温度センサＴ６を設けている。
【００５３】
制御装置２０は、加熱放熱運転において、貯湯槽１４の下部の温度を測定する第４温度センサＴ４、第６温度センサＴ６、及び第７温度センサＴ７の測定結果に基づいて、以下の如く、湯水循環状態を制御する。
〔加熱放熱運転〕
図１３に示すように、制御装置２０は、外部からの加熱放熱運転の開始指令により、加熱放熱運転開始処理を実行する（♯５１）。即ち、切換弁１３を給水−両側とすることにより、三方とも開放状態とする。
制御装置２０は、第６温度センサＴ６にて測定される湯水の温度が第４温度センサＴ４にて測定される湯水の温度超の場合、即ち、放熱戻り湯水の温度が貯湯槽１４の下部の温度超の場合、放熱戻り湯水の温度が中高温になっており、貯湯槽１４の下部に中高温の湯水が流入すると、成層貯湯状態を維持することができないため、以下の♯５４〜♯５６のステップを実行する（♯５２）。
制御装置２０は、第７温度センサＴ７にて測定される湯水の温度が第４温度センサＴ４にて測定される湯水の温度超の場合、中高温の放熱戻り湯水が貯湯槽１４の下部へ導かれている虞があるので、三方弁１５を第１バイパス路Ｒ５側へ少し開いて、第１加熱往き路Ｒ１側へ導かれる放熱戻り湯水の流量を減少（第１バイパス路Ｒ５側へ導かれる放熱戻り湯水の流量を増加）させる制御を実行する（♯５４、♯５５）。
一方、第７温度センサＴ７にて測定される湯水の温度が第４温度センサＴ４にて測定される湯水の温度以下の場合（実質的には、第７温度センサＴ７にて測定される湯水の温度が第４温度センサＴ４にて測定される湯水の温度と等しい場合）、即ち、貯湯槽１４の下部から貯湯槽１４の下部の配管７０へ低温の湯水が流出している場合には、中高温の放熱戻り湯水が貯湯槽１４の下部へ導かれることはないので、三方弁１５を貯湯槽１４側へ少し開いて、第１加熱往き路Ｒ１側へ導かれる放熱戻り湯水の流量を増加（第１バイパス路Ｒ５側へ導かれる放熱戻り湯水の流量を減少）させる制御を実行する（♯５６）。
尚、制御装置２０は、第６温度センサＴ６にて測定される湯水の温度が第４温度センサＴ４にて測定される湯水の温度以下の場合、即ち、放熱戻り湯水の温度が貯湯槽１４の下部の温度以下の場合、放熱戻り湯水の温度が低温であるので、三方弁１５を貯湯槽１４側へ少し開く（♯５３）。
制御装置２０は、加熱放熱運転の終了指令があるまで、♯５２〜♯５６のステップを繰り返し実行する（♯５７）。
一方、加熱放熱運転の終了指令があった場合、制御装置２０は、加熱放熱運転を終了すべく、切換弁１３を給水−貯湯槽１４側に、三方弁１５を、第１バイパス路Ｒ５側にする（♯５８）。
当該別実施形態では、制御装置２０、第１加熱循環ポンプ１２ａ、放熱循環ポンプ１６、三方弁１５、第１温度センサＴ１、第２温度センサＴ２、第３温度センサＴ３、第４温度センサＴ４、第６温度センサＴ６、第７温度センサＴ７、及び第１流量センサＦ１が、湯水循環状態制御手段として働く。
【００５４】
（５）
上記特徴構成では、加熱循環流量Ｌ１は、制御装置２０（加熱循環流量推定手段２０ａ）が第１加熱循環ポンプ１２ａへの印加電圧や印加周波数に基づいて推定したが、第１加熱循環回路Ｃ１ａに直接流量センサを設けて測定するように構成しても構わない。
【００５５】
（６）
上記特徴構成では、放熱戻り湯水流量Ｌ２は、制御装置２０（放熱戻り流量推定手段２０ｂ）が、バーナ加熱式熱交換器１７を通流する湯水の流量を測定する第１流量センサＦ１の測定結果と、三方弁１５の開度比率に基づいて推定したが、放熱戻り路Ｒ４に直接流量センサを設けて測定するように構成しても構わない。
【００５６】
（７）
上記特徴構成では、制御装置２０が１つで加熱運転、放熱運転、加熱放熱運転を行なう集中制御の形態となっているが、お互いの運転状況を通信する機能を備えて各運転を行なう制御装置を個別に備えた分散制御の形態でも構わない。
（８）
上記実施形態では、放熱部の構成の一例として、床暖房装置や浴室暖房装置等の放熱用端末３０と放熱熱交換器１８との間に配設された熱媒循環回路Ｃ３を挙げて説明したが、浴槽の追焚循環回路等を採用することもできる。
【産業上の利用可能性】
【００５７】
本発明の貯湯式熱源装置は、第１加熱手段を働かせる場合には、第２加熱手段の影響を受けることなく、当該第１加熱手段にて加熱した湯水を、放熱部へ導いて適切に熱を供給できながら、第１加熱手段を停止させる場合には、比較的簡易な構成を維持しながらも、補助加熱手段で加熱した湯水の放熱ロスを適切に抑制できる貯湯式熱源装置として、有効に利用可能である。
【符号の説明】
【００５８】
１１      ：ＥＨＰ
１４      ：貯湯槽
１５      ：三方弁
１８      ：放熱熱交換器
２０      ：制御装置
２０ａ    ：加熱循環流量推定手段
２０ｂ    ：放熱戻り流量推定手段
３０      ：放熱用端末
６０      ：ＳＯＦＣ
１００    ：貯湯式熱源装置
Ｃ１ａ      ：第１加熱循環回路
Ｃ１ｂ      ：第２加熱循環回路
Ｃ２      ：放熱循環回路
Ｌ１      ：加熱循環流量
Ｒ１      ：第１加熱往き路
Ｒ２      ：第１加熱戻り路
Ｒ３      ：放熱往き路
Ｒ４      ：放熱戻り路
Ｒ５      ：第１バイパス路
Ｔ１      ：第１温度センサ
Ｔ３      ：第３温度センサ
【図１】
2013238333.tif 000003
【図２】
2013238333.tif 000004
【図３】
2013238333.tif 000005
【図４】
2013238333.tif 000006
【図５】
2013238333.tif 000007
【図６】
2013238333.tif 000008
【図７】
2013238333.tif 000009
【図８】
2013238333.tif 000010
【図９】
2013238333.tif 000011
【図１０】
2013238333.tif 000012
【図１１】
2013238333.tif 000013
【図１２】
2013238333.tif 000014
【図１３】
2013238333.tif 000015